(57)【要約】  メイン管理装置１００Ａは、少なくとも１台の設備機器１０が接続されたサブ管理装置１００Ｂに接続されるメイン管理装置１００Ａであって、サブ管理装置１００Ｂと通信する装置間通信部１０４Ａを有する通信部１０３Ａと、少なくとも１台の設備機器１０のそれぞれの機器アドレスと、サブ管理装置１００Ｂの装置アドレスと、を対応付けたサブ管理装置用構成データ１２２を用いて、少なくとも１台の設備機器１０の動作を制御する制御部１０８Ａと、を備え、通信部１０３Ａは、サブ管理装置１００Ｂに接続されない少なくとも１台の設備機器１０と通信する機器通信部１０２Ｂを有する。
2016051452.tif 000002
【特許請求の範囲】
【請求項１】
少なくとも１台の設備機器が接続されたサブ管理装置に接続されるメイン管理装置であって、
前記サブ管理装置と通信する装置間通信部を有する通信部と、
前記少なくとも１台の設備機器のそれぞれの機器アドレスと、前記サブ管理装置の装置アドレスと、を対応付けたサブ管理装置用構成データを用いて、前記少なくとも１台の設備機器の動作を制御する制御部と、を備え、
前記通信部は、前記サブ管理装置に接続されない少なくとも１台の設備機器と通信する機器通信部を有する、
メイン管理装置。
【請求項２】
前記制御部は、前記サブ管理装置に接続されない少なくとも１台の設備機器が接続された状態で制御を行う第１モードと、前記サブ管理装置に接続されない少なくとも１台の設備機器が接続されない状態で制御を行う第２モードと、を有する、
請求項１記載のメイン管理装置。
【請求項３】
機器構成記憶部をさらに備え、
前記機器構成記憶部は、前記第１モードおいて、前記サブ管理装置に接続されない少なくとも１台の設備機器のそれぞれの機器アドレスと、当該メイン管理装置の装置アドレスと、を対応付けたメイン管理装置構成データと、前記サブ管理装置用構成データと、が合成されたデータを集中管理データとして記憶しており、前記第２モードにおいて、前記サブ管理装置用構成データを集中管理データとして記憶しており、
前記制御部は、前記第１モードにおいて、前記集中管理データに基づいて、前記少なくとも１台の設備機器と前記サブ管理装置に接続されない少なくとも１台の設備機器との制御を行い、前記第２モードにおいて、前記集中管理データに基づいて、前記少なくとも１台の設備機器の制御を行う、
請求項２記載のメイン管理装置。
【請求項４】
請求項１〜請求項３の何れか１項に記載のメイン管理装置と前記メイン管理装置に接続された少なくとも１台の前記サブ管理装置とを備えた管理システム。
【請求項５】
前記サブ管理装置は、前記少なくとも１台の設備機器の機器アドレスを機器構成データとして記憶した機器構成記憶部と制御部とを有し、
前記サブ管理装置の制御部は、当該サブ管理装置の機器構成記憶部に記憶された機器構成データに基づいて、前記少なくとも１台の設備機器の制御を行う、
請求項４記載の管理システム。
【請求項６】
前記設備機器は、空気調和機である、
請求項４または請求項５に記載の管理システム。
【発明の詳細な説明】
【技術分野】
【０００１】
この発明は、メイン管理装置および管理システムに関するものである。
【背景技術】
【０００２】
近年、省エネルギー化および利便性の向上等を目的として、建物に設置された設備機器の集中管理を行うことに対する需要が拡大している。このような需要に応えるためのものとして、設備機器の運転状態を監視すると共に、設備機器の運転を制御する設備管理装置が知られている（例えば特許文献１参照）。
【先行技術文献】
【特許文献】
【０００３】
【特許文献１】特開２００３−２２８４１６号公報（第４頁、図１）
【発明の概要】
【発明が解決しようとする課題】
【０００４】
一般的に、特許文献１に記載されたような設備管理装置においては、設備管理装置と設備機器とを接続する制御線の長さに制限がある。一方、設備機器が設置される建物の規模およびレイアウトは多様であるため、建物の規模およびレイアウト等によっては、設備管理装置に設備機器を接続することが困難な場合がある。【０００５】
この発明は、上述のような課題を背景としてなされたものであり、建物の規模およびレイアウト等に合わせて、設備機器を容易且つ柔軟に構築することができるメイン管理装置および管理システムを得ることを目的としている。
【課題を解決するための手段】
【０００６】
この発明に係るメイン管理装置は、少なくとも１台の設備機器が接続されたサブ管理装置に接続されるメイン管理装置であって、サブ管理装置と通信する装置間通信部を有する通信部と、少なくとも１台の設備機器のそれぞれの機器アドレスと、サブ管理装置の装置アドレスと、を対応付けたサブ管理装置用構成データを用いて、少なくとも１台の設備機器の動作を制御する制御部と、を備え、通信部は、サブ管理装置に接続されない少なくとも１台の設備機器と通信する機器通信部を有する。
【発明の効果】
【０００７】
この発明によれば、建物の規模およびレイアウト等に合わせて、設備機器を容易且つ柔軟に構築することができるメイン管理装置および管理システムを得ることができる。
【図面の簡単な説明】
【０００８】
【図１】この発明の実施の形態１に係る管理システムのブロック図である。
【図２】図１に記載の管理システムを部分的に拡大した拡大図である。
【図３】図２に記載のメイン管理装置の機器構成記憶部の模式図である。
【図４】図３に記載の機器構成データの模式図である。
【図５】図３に記載の管理装置構成データの模式図である。
【図６】図３に記載の集中管理データの模式図である。
【図７】図２に記載のサブ管理装置の機器構成記憶部の模式図である。
【図８】図７に記載の機器構成データの模式図である。
【図９】サブ管理装置によって、当該サブ管理装置に接続された設備機器の制御が行われた場合の動作を説明する模式図である。
【図１０】図９の変形例１である。
【図１１】図９の変形例２である。
【図１２】メイン管理装置によって、サブ管理装置に接続された設備機器の制御が行われた場合の動作を説明する模式図である。
【図１３】メイン管理装置によって、当該メイン管理装置に接続された設備機器の制御が行われた場合の動作を説明する模式図である。
【図１４】この発明の実施の形態２に係る管理システムのブロック図である。
【図１５】図１４に記載の管理システムを部分的に拡大した拡大図である。
【図１６】図１５に記載のメイン管理装置の機器構成記憶部の模式図である。
【図１７】図１６に記載の管理装置構成データの模式図である。
【図１８】図１６に記載の集中管理データの模式図である。
【発明を実施するための形態】
【０００９】
以下、図面を参照して、この発明の実施の形態について説明する。なお、各図中、同一または相当する部分には、同一符号を付して、その説明を適宜省略または簡略化する。また、各図に記載の構成について、その大きさおよび配置は、この発明の範囲内で適宜変更することができる。
【００１０】
実施の形態１．
図１は、この発明の実施の形態１に係る管理システムのブロック図である。なお、図１において、管理装置１００に付してある（ａ）〜（ｄ）の符号は管理装置１００の装置アドレスを示しており、設備機器１０に付してある（１）〜（６）の符号は設備機器１０の機器アドレスを示している。なお、管理装置１００の装置アドレスおよび設備機器１０の機器アドレスは、任意に定められるものである。また、図１において、点線で記載された通信回線２００は管理装置１００同士の接続を行うものであり、実線で記載された制御線３００は管理装置１００と設備機器１０との接続を行うものである。
【００１１】
この実施の形態に係る管理システム１は、オフィスビル、商用施設またはホテル等の建物に設置された、複数台の設備機器１０の集中管理を行うものである。設備機器１０は、少なくとも１台の空気調和機の室外機および室内機を含んでいる。例えば、図１に記載の例では、機器アドレス（１）および（２）の設備機器１０は室外機であり、機器アドレス（３）〜（６）の設備機器１０は室内機である。なお、設備機器１０は、換気機器、給湯機、電力計、および給電ユニット等であってもよい。管理システム１は、少なくとも１台の空気調和機を含んだ複数台の設備機器１０の集中管理を行うことによって、省エネルギー化および利便性の向上等を達成することができる。
【００１２】
管理システム１は、設備機器１０の管理を行う複数台の管理装置１００を備えている。複数台の管理装置１００は、通信回線２００で接続されており、互いに通信を行うことができるようになっている。通信回線２００は、例えばＷｉ−Ｆｉ等の無線ＬＡＮ（Ｌｏｃａｌ  Ａｒｅａ  Ｎｅｔｗｏｒｋ）であるが、有線ＬＡＮであってもよく、または無線ＬＡＮと有線ＬＡＮとを含んで構成されたものであってもよい。また、通信回線２００は、ＰＣまたは携帯端末（例えば、携帯電話またはタブレット端末）等の端末１５０が接続できるように構成されている。ユーザは、端末１５０を利用して、管理装置１００への指示を行うこともできる。
【００１３】
複数台の管理装置１００のうちの少なくとも１台は、メイン管理装置１００Ａとして構成され、メイン管理装置１００Ａ以外の他の管理装置１００は、サブ管理装置１００Ｂとして構成されている。例えば、建物に管理システム１を組み込む作業者は、複数台の管理装置１００のうちの少なくとも１台をメイン管理装置１００Ａとして設定し、メイン管理装置１００Ａ以外の他の管理装置１００をサブ管理装置１００Ｂとして設定する。また、作業者は、設備機器１０が接続される第１モードのメイン管理装置１００Ａと、設備機器１０が接続されない第２モードのメイン管理装置１００Ａ１（図１４等を参照）と、を選択することができる。この実施の形態では、第１モードのメイン管理装置１００Ａについての説明を行う。
【００１４】
メイン管理装置１００Ａおよびサブ管理装置１００Ｂのそれぞれには、制御線３００を介して設備機器１０が接続されている。なお、メイン管理装置１００Ａに接続される設備機器１０は、この発明の「サブ管理装置に接続されない少なくとも１台の設備機器」に相当し、サブ管理装置１００Ｂに接続される設備機器１０は、この発明の「少なくとも１台の設備機器」に相当する。メイン管理装置１００Ａは、メイン管理装置１００Ａに接続された設備機器１０およびサブ管理装置１００Ｂに接続された設備機器１０の管理を行い、サブ管理装置１００Ｂは、当該サブ管理装置１００Ｂに接続された設備機器１０の管理を行う。なお、設備機器１０の種類および台数、管理装置１００（メイン管理装置１００Ａおよびサブ管理装置１００Ｂ）の台数は、建物の規模およびレイアウト等に合わせて適宜変更されるものであり、図１に記載の例に限定されるものではない。
【００１５】
図２は、図１に記載の管理システムを部分的に拡大した拡大図である。装置アドレス（ａ）のメイン管理装置１００Ａは、機器通信部１０２Ａ、装置間通信部１０４Ａ、データ同期部１０６Ａ、制御部１０８Ａ、機器構成記憶部１１０Ａ、操作部１１２Ａおよび表示部１１４Ａを有している。機器通信部１０２Ａは、メイン管理装置１００Ａに接続された設備機器１０と通信を行うためのインターフェースである。機器通信部１０２Ａは、制御線３００を介して設備機器１０と通信を行うことができる。装置間通信部１０４Ａは、サブ管理装置１００Ｂとの通信を行うためのインターフェースであり、装置間通信部１０４Ａは、通信回線２００を介してサブ管理装置１００Ｂと通信を行うことができる。なお、機器通信部１０２Ａと装置間通信部１０４Ａとは、メイン管理装置１００Ａの通信部１０３Ａを構成している。データ同期部１０６Ａは、例えば専用回路または専用ＩＣ等で構成されており、サブ管理装置１００Ｂとデータの同期を行うものである。制御部１０８Ｂは、例えば専用回路またはＣＰＵ等で構成されており、メイン管理装置１００Ａの全体の制御を行うものである。なお、制御部１０８Ａがデータ同期部１０６Ａの動作を行うように構成されている場合には、データ同期部１０６Ａを省略することができる。
【００１６】
機器構成記憶部１１０Ａは、例えば不揮発性メモリ等で構成された記憶部であり、メイン管理装置１００Ａが管理を行う設備機器１０の機器アドレス等を記憶している。操作部１１２Ａは、メイン管理装置１００Ａの操作を行うためのものであり、例えば、キーボードまたはマウス等で構成されている。表示部１１４Ａは、管理装置１００の運転状態等を表示する表示装置であり、例えば液晶モニタまたは有機ＥＬモニタ等で構成されている。なお、操作部１１２Ａおよび表示部１１４Ａは、これらが一体的に形成されたタッチパネル１１６であってもよい。
【００１７】
装置アドレス（ｂ）のサブ管理装置１００Ｂは、機器通信部１０２Ｂ、通信部１０３Ｂ、装置間通信部１０４Ｂ、データ同期部１０６Ｂ、制御部１０８Ｂ、機器構成記憶部１１０Ｂ、操作部１１２Ｂおよび表示部１１４Ｂを有する。機器構成記憶部１１０Ｂは、例えば不揮発性メモリ等の記憶部であり、サブ管理装置１００Ｂが管理を行う設備機器１０の機器アドレス等を記憶している。なお、機器通信部１０２Ｂ、装置間通信部１０４Ｂ、データ同期部１０６Ｂ、制御部１０８Ｂ、操作部１１２Ｂおよび表示部１１４Ｂについては、メイン管理装置１００Ａのものと同様の構成であるため、これらの説明については省略する。すなわち、機器通信部１０２Ｂ、装置間通信部１０４Ｂ、データ同期部１０６Ｂ、制御部１０８Ｂ、操作部１１２Ｂおよび表示部１１４Ｂは、機器通信部１０２Ａ、装置間通信部１０４Ａ、データ同期部１０６Ａ、制御部１０８Ａ、操作部１１２Ａおよび表示部１１４Ａに相当するものである。また、装置アドレス（ｃ）および（ｄ）のサブ管理装置１００Ｂについては、装置アドレス（ｂ）のサブ管理装置１００Ｂと同様の構成であるため、説明を省略する。
【００１８】
図３は、図２に記載のメイン管理装置の機器構成記憶部の模式図であり、図４は、図３に記載の機器構成データの模式図であり、図５は、図３に記載の管理装置構成データの模式図であり、図６は、図３に記載の集中管理データの模式図である。図３に示すように、メイン管理装置１００Ａの機器構成記憶部１１０Ａは、機器構成データ１１０Ａ１と管理装置構成データ１１０Ａ２と集中管理データ１１０Ａ３とを記憶している。機器構成データ１１０Ａ１は、図４に示すように、メイン管理装置１００Ａに接続された設備機器１０の機器アドレス（１）〜（６）を含んでいる。メイン管理装置１００Ａは、機器構成データ１１０Ａ１を利用して、メイン管理装置１００Ａに接続された設備機器１０の管理を行うことができる。
【００１９】
管理装置構成データ１１０Ａ２は、図５に示すように、メイン管理装置１００Ａの装置アドレス（ａ）およびサブ管理装置１００Ｂの装置アドレス（ｂ）〜（ｄ）を含んでいる。メイン管理装置１００Ａは、管理装置構成データ１１０Ａ２を利用して、サブ管理装置１００Ｂの管理を行うことができる。
【００２０】
集中管理データ１１０Ａ３は、図６に示すように、設備機器１０のそれぞれの機器アドレスと、それぞれの設備機器１０が接続されたメイン管理装置１００Ａまたはサブ管理装置１００Ｂの装置アドレスと、を合成したデータである。すなわち、集中管理データ１１０Ａ３は、メイン管理装置構成データ１２１とサブ管理装置用構成データ１２２とが合成されたものである。メイン管理装置構成データ１２１は、メイン管理装置１００Ａに接続された設備機器１０のそれぞれの機器アドレス（１）〜（６）と、メイン管理装置１００Ａの装置アドレス（ａ）と、を対応付けたデータである。また、サブ管理装置用構成データ１２２は、サブ管理装置１００Ｂに接続された設備機器１０のそれぞれの機器アドレス（１）〜（６）と、サブ管理装置１００Ｂのそれぞれの装置アドレス（ｂ）〜（ｄ）と、を対応付けたデータである。メイン管理装置１００Ａは、集中管理データ１１０Ａ３を利用して、サブ管理装置１００Ｂに接続された設備機器１０の管理を行うことができる。なお、メイン管理装置１００Ａは、集中管理データ１１０Ａ３を利用して、メイン管理装置１００Ａに接続された設備機器１０の管理を行ってもよい。建物に管理システム１を組み込む作業者は、例えば、メイン管理装置１００Ａの操作部１１２Ａを操作して、機器構成データ１１０Ａ１と管理装置構成データ１１０Ａ２と集中管理データ１１０Ａ３との入力を行う。
【００２１】
図７は、図２に記載のサブ管理装置の機器構成記憶部の模式図であり、図８は、図７に記載の機器構成データの模式図である。図７に示すように、サブ管理装置１００Ｂの機器構成記憶部１１０Ｂは、機器構成データ１１０Ｂ１とメイン管理装置アドレスデータ１１０Ｂ２とを記憶している。メイン管理装置アドレスデータ１１０Ｂ２は、メイン管理装置１００Ａの装置アドレス（ａ）を含んだデータである。サブ管理装置１００Ｂは、メイン管理装置アドレスデータ１１０Ｂ２を利用して、メイン管理装置１００Ａに信号を送信することができる。機器構成データ１１０Ｂ１は、図８に示すように、サブ管理装置１００Ｂに接続された設備機器１０の機器アドレス（１）〜（６）を含んだデータである。サブ管理装置１００Ｂは、機器構成データ１１０Ｂ１を利用して、サブ管理装置１００Ｂに接続された設備機器１０の管理を行うことができる。建物に管理システム１を組み込む作業者は、例えば、サブ管理装置１００Ｂの操作部１１２Ｂを操作して、機器構成データ１１０Ｂ１とメイン管理装置アドレスデータ１１０Ｂ２との入力を行う。なお、機器構成記憶部１１０Ｂは、機器構成記憶部１１０Ａと同様の構成であってもよい。または、サブ管理装置１００Ｂは、メイン管理装置１００Ａに管理されることを意識しないように構成されていてもよく、この場合には、機器構成記憶部１１０Ｂは、機器構成データ１１０Ｂ１のみを記憶している。
【００２２】
次に、上記のように構成された管理システム１の動作の例について説明する。図９は、サブ管理装置によって、当該サブ管理装置に接続された設備機器の制御が行われた場合の動作を説明する模式図であり、図１０は、図９の変形例１であり、図１１は、図９の変形例２であり、図１２は、メイン管理装置によって、サブ管理装置に接続された設備機器の制御が行われた場合の動作を説明する模式図であり、図１３は、メイン管理装置によって、当該メイン管理装置に接続された設備機器の制御が行われた場合の動作を説明する模式図である。
【００２３】
まず、図９を用いて、サブ管理装置１００Ｂによって、当該サブ管理装置１００Ｂに接続された設備機器１０の制御が行われた場合の動作について説明する。サブ管理装置１００Ｂは、図７および図８に記載の機器構成データ１１０Ｂ１を利用して、当該サブ管理装置１００Ｂに接続された設備機器１０の制御を行う。サブ管理装置１００Ｂは、例えば、ユーザによって操作された操作部１１２Ｂからの入力に基づいて、当該サブ管理装置１００Ｂに接続された設備機器１０の制御を行う。ユーザは、例えば操作部１１２Ｂを操作することによって、サブ管理装置１００Ｂに接続された１台または複数台の設備機器１０に、運転状態の切り替え、運転強度の変更等の指示を行うことができる。
【００２４】
制御部１０８Ｂは、操作部１１２Ｂからの入力に基づいて、信号Ｓ０１および信号Ｓ０２を生成する。なお、操作部１１２Ｂからの入力を受けた制御部１０８Ｂは、操作部１１２Ｂからの入力に基づいて、表示部１１４Ｂに表示された設備機器１０の状態を更新し、および／または機器構成記憶部１１０Ａに設備機器１０の状態を記憶させている。信号Ｓ０１は、指示を行う設備機器１０の機器アドレス、および指示の内容等の情報を含んでいる。信号Ｓ０２は、信号Ｓ０１の情報に加えて、メイン管理装置１００Ａの装置アドレス（ａ）の情報を含んでいる。制御部１０８Ｂは、信号Ｓ０１を、機器通信部１０２Ｂを介して設備機器１０に送信し、信号Ｓ０２を、データ同期部１０６Ｂに送信する。信号Ｓ０１を受信した設備機器１０は、信号Ｓ０１に基づいて、例えば、運転状態を切り替え、または運転強度を変更する。
【００２５】
信号Ｓ０２を受信したデータ同期部１０６Ｂは、信号Ｓ０２に基づいて、同期信号Ｓ０３を生成し、装置間通信部１０４Ｂに送信する。例えば、データ同期部１０６Ｂは、信号Ｓ０２が入力される前の、設備機器１０の状態（運転状態および運転強度等）を記憶しており、設備機器１０の状態が変化したときに、同期信号Ｓ０３を生成する。同期信号Ｓ０３は、信号Ｓ０１を受信して変化する設備機器１０の運転状態、およびメイン管理装置１００Ａの装置アドレス（ａ）の情報を含んでいる。同期信号Ｓ０３は、装置間通信部１０４Ｂ、メイン管理装置１００Ａの装置間通信部１０４Ａ、およびデータ同期部１０６Ａを介して、制御部１０８Ａに入力される。制御部１０８Ａは、同期信号Ｓ０３に基づいて、表示部１１４Ａに表示された設備機器１０の状態を更新し、および／または機器構成記憶部１１０Ａに設備機器１０の状態を記憶させる。
【００２６】
次に、図１０を用いて、図９の変形例１の説明を行う。図９に記載の例では、サブ管理装置１００Ｂのデータ同期部１０６Ｂが自発的に同期信号Ｓ０３を送信する例についての説明を行った。これに対して、図１０に記載の例では、メイン管理装置１００Ａのデータ同期部１０６Ａ１が、あらかじめ設定された設定時間毎に、サブ管理装置１００Ｂのデータ同期部１０６Ｂ１に問い合わせを行って、メイン管理装置１００Ａとサブ管理装置１００Ｂとのデータの同期を行う。すなわち、信号Ｓ０２を受信したデータ同期部１０６Ｂ１は、信号Ｓ０１が入力される前の、設備機器１０の状態（運転状態および運転強度等）を記憶しており、設備機器１０の状態が変化したときに、同期信号Ｓ１３を生成し、同期信号Ｓ１３を記憶しておく。同期信号Ｓ１３は、設備機器１０の運転状態の変化を意味する情報（フラグ）を含んでいる。そして、メイン管理装置１００Ａのデータ同期部１０６Ａ１は、あらかじめ設定された設定時間毎に、サブ管理装置１００Ｂのデータ同期部１０６Ｂ１に問い合わせ信号Ｓ１２を送信する。問い合わせ信号Ｓ１２を受信したサブ管理装置１００Ｂのデータ同期部１０６Ｂ１は、設備機器１０の運転状態の変化があった場合に、メイン管理装置１００Ａのデータ同期部１０６Ａ１に同期信号Ｓ１３を送信する。例えば、メイン管理装置１００Ａのデータ同期部１０６Ａ１は、装置アドレス（ｂ）のサブ管理装置１００Ｂに加えて、装置アドレス（ｃ）および（ｄ）のサブ管理装置１００Ｂへの問い合わせも行っている。データ同期部１０６Ａ１は、装置アドレス（ｂ）〜（ｄ）のサブ管理装置１００Ｂに接続された設備機器１０の運転状態を取得し、運転状態に関するデータの同期を行って、制御部１０８Ａに信号Ｓ１４を送信する。信号Ｓ１４を受信した制御部１０８Ａは、信号Ｓ１４に基づいて、表示部１１４Ａに表示された設備機器１０の状態を更新し、および／または機器構成記憶部１１０Ａに設備機器１０の状態を記憶させる。なお、図１０に記載の例において、例えば問い合わせ信号Ｓ１２が、メイン管理装置１００Ａの装置アドレス（ａ）の情報を含んでいる場合には、図７に記載のメイン管理装置アドレスデータ１１０Ｂ２を省略することができる。上記のように、変化例１では、メイン管理装置１００Ａが、定期的にサブ管理装置１００Ｂとの同期を行って、設備機器１０の運転状態を取得しているため、通信回線２００の通信量が低減されている。
【００２７】
次に、図１１を用いて、図９の変形例２の説明を行う。図９に記載の例では、サブ管理装置１００Ｂのデータ同期部１０６Ｂが、操作部１１２Ｂからの入力を受けた制御部１０８Ｂからの信号Ｓ０２を受信して、同期信号Ｓ０３を生成する例についての説明を行った。これに対して、図１１に記載の例では、設備機器１０からの動作変更信号Ｓ２１を受信した制御部１０８Ｂ１が、信号Ｓ２２を生成し、信号Ｓ２２をデータ同期部Ｓ１０６Ｂに送信する。なお、信号Ｓ２２は、信号Ｓ０２と同様の情報を含んでいる。例えば、設備機器１０は、図示を省略してあるリモコン等によって、運転状態または運転強度が変更されると、制御部１０８Ｂ１に動作変更信号Ｓ２１を送信する。動作変更信号Ｓ２１を受信した制御部１０８Ｂ２は、動作変更信号Ｓ２１に基づいて、信号Ｓ２２を生成し、信号Ｓ２２をデータ同期部１０６Ｂに送信する。なお、設備機器１０は、操作部１１２Ｂからの入力に基づいて、運転状態を切り替え、または運転強度を変更したのちに、制御部１０８Ｂ１に動作変更信号Ｓ２１を送信してもよい。上記のように、変化例２では、設備機器１０からの動作変更信号Ｓ２１に基づいて、データの同期を行っているため、設備機器１０の状態を確実に監視することができる。
【００２８】
次に、図１２を用いて、メイン管理装置１００Ａによって、サブ管理装置１００Ｂに接続された設備機器１０の制御が行われた場合の動作について説明する。メイン管理装置１００Ａは、図３および図６に記載された集中管理データ１１０Ａ３を利用して、サブ管理装置１００Ｂに接続された設備機器１０の制御を行う。ユーザは、例えば操作部１１２Ａを操作することによって、サブ管理装置１００Ｂに接続された１台または複数台の設備機器１０に、運転状態の切り替え、運転強度の変更等の指示を行うことができる。
【００２９】
制御部１０８Ａは、操作部１１２Ａからの入力に基づいて、信号Ｓ３１を生成し、信号Ｓ３１をデータ同期部１０６Ａに送信する。信号Ｓ３１は、指示を行う設備機器１０の機器アドレスと、該設備機器１０が接続されたサブ管理装置１００Ｂの装置アドレスを合成したデータ、および指示を行う設備機器１０への指示内容等の情報を含んでいる。なお、操作部１１２Ａからの入力受けた制御部１０８Ａは、操作部１１２Ａからの入力に基づいて、表示部１１４Ａに表示された設備機器１０の状態を更新し、および／または機器構成記憶部１１０Ａに設備機器１０の状態を記憶させている。
【００３０】
信号Ｓ３１は、装置間通信部１０４Ａ、サブ管理装置１００Ｂの装置間通信部１０４Ｂ、データ同期部１０６Ｂ、制御部１０８Ｂおよび機器通信部１０２Ｂを介して、設備機器１０に入力される。信号Ｓ３１を受信した設備機器１０は、信号Ｓ３１に基づいて、例えば、運転状態を切り替え、または運転強度を変更する。なお、信号Ｓ３１を受信した制御部１０８Ｂは、操作部１１２Ｂからの入力に基づいて、表示部１１４Ｂに表示された設備機器１０の状態を更新し、および／または機器構成記憶部１１０Ｂに設備機器１０の状態を記憶させている。
【００３１】
次に、図１３を用いて、メイン管理装置１００Ａによって、メイン管理装置１００Ａに接続された設備機器１０の制御が行われた場合の動作について説明する。メイン管理装置１００Ａは、図３および図６に記載された集中管理データ１１０Ａ３を利用して、メイン管理装置１００Ａに接続された設備機器１０の制御を行う。ユーザは、例えば操作部１１２Ａを操作することによって、メイン管理装置１００Ａに接続された１台または複数台の設備機器１０に、運転状態の切り替え、運転強度の変更等の指示を行うことができる。
【００３２】
制御部１０８Ａは、操作部１１２Ａからの入力に基づいて、信号Ｓ４１を生成し、信号Ｓ４１を機器通信部１０２Ａに送信する。信号Ｓ４１は、指示を行う設備機器１０の機器アドレスと、当該設備機器１０が接続されたメイン管理装置１００Ａの装置アドレスを合成したデータ、および指示内容等の情報を含んでいる。なお、操作部１１２Ａからの入力受けた制御部１０８Ａは、操作部１１２Ａからの入力に基づいて、表示部１１４Ａに表示された設備機器１０の状態を更新し、および／または機器構成記憶部１１０Ａに設備機器１０の状態を記憶させている。信号Ｓ４１は、機器通信部１０２Ａを介して、設備機器１０に入力される。信号Ｓ４１を受信した設備機器１０は、信号Ｓ４１に基づいて、例えば、運転状態を切り替え、または運転強度を変更する。
【００３３】
上記のように、この実施の形態に係る管理システム１では、メイン管理装置１００Ａとサブ管理装置１００Ｂとを有しており、メイン管理装置１００Ａは、メイン管理装置１００Ａに接続された設備機器１０およびサブ管理装置１００Ｂに接続された設備機器１０の管理を行い、サブ管理装置１００Ｂは、当該サブ管理装置１００Ｂに接続された設備機器１０の管理を行うように構成されている。このため、この実施の形態によれば、例えば、建物の全体の管理を行う場所にメイン管理装置１００Ａを設置し、それ以外の場所（例えばフロア毎等）にサブ管理装置１００Ｂを設置することによって、管理システム１の機能を向上させることができる。
【００３４】
さらに、この実施の形態によれば、メイン管理装置１００Ａは、サブ管理装置１００Ｂが管理している情報を同期（共有）し、サブ管理装置１００Ｂは、メイン管理装置１００Ａが管理している情報を同期しないように構成されているため、通信回線２００のデータの通信量を低減することができる。
【００３５】
さらに、この実施の形態に係る管理システム１は、通信回線２００で接続された複数台の管理装置１００を備えている。このため、この実施の形態によれば、建物の規模およびレイアウト等に合わせて、容易且つ柔軟に管理システム１を構築することができる。例えば、１台の管理装置に、制御線を介して設備機器を接続する場合には、制御線には長さの制限があるため、建物の規模およびレイアウト等によっては、設備機器を接続することが困難な場合がある。これに対して、この実施の形態では、複数台の管理装置１００が、制御線３００と比較して長さの制限が緩和された通信回線２００で接続されているため、建物の規模およびレイアウト等に合わせて、容易且つ柔軟に管理システム１を構築することができる。
【００３６】
実施の形態２．
図１４は、この発明の実施の形態２に係る管理システムのブロック図であり、図１５は、図１４に記載の管理システムを部分的に拡大した拡大図である。なお、図１４および図１５において、図１および図２の管理システムと同一の構成には同一の符号を付してある。以下の説明では、上記の実施の形態１の説明と重複する部分については、説明を省略する。図１４の管理システム１Ａが、図１の管理システム１と異なる点は、図１３のメイン管理装置１００Ａ１に、設備機器１０が接続されない点である。すなわち、この実施の形態のメイン管理装置は、設備機器１０が接続されない第２モードのメイン管理装置１００Ａ１である。図１５のメイン管理装置１００Ａ１と図２のメイン管理装置１００Ａとは、メイン管理装置１００Ａ１が機器構成記憶部１１０Ａ１１を有し、メイン管理装置１００Ａが機器構成記憶部１１０Ａを有している点で異なる。
【００３７】
図１６は、図１５に記載のメイン管理装置の機器構成記憶部の模式図であり、図１７は、図１６に記載の管理装置構成データの模式図であり、図１８は、図１６に記載の集中管理データの模式図である。図１６に示すように、メイン管理装置１００Ａ１の機器構成記憶部１１０Ａ１１は、機器構成データ１１０Ａ１と管理装置構成データ１１０Ａ２１と集中管理データ１１０Ａ３１とを記憶している。機器構成データ１１０Ａ１は、実施の形態１と同じであるため、説明を省略する。管理装置構成データ１１０Ａ２１は、図１７に示すように、サブ管理装置１００Ｂの装置アドレス（ｂ）〜（ｅ）を含んでいる。集中管理データ１１０Ａ３１は、図１８に示すように、設備機器１０のそれぞれの機器アドレスと、それぞれの設備機器１０が接続されたサブ管理装置１００Ｂの装置アドレスと、を合成したデータである。なお、この実施の形態の集中管理データ１１０Ａ３１は、サブ管理装置用構成データ１２２である。例えば、建物に管理システム１Ａを組み込む作業者は、メイン管理装置１００Ａ１の操作部１１２Ａを操作して、機器構成データ１１０Ａ１と管理装置構成データ１１０Ａ２１と集中管理データ１１０Ａ３１との入力を行う。
【００３８】
上記の実施の形態１および実施の形態２で説明したように、メイン管理装置は、第１モードのメイン管理装置１００Ａと第２モードのメイン管理装置１００Ａ１と、を選択して、建物に設備管理システムを導入することができるため、建物の規模およびレイアウト等に合わせて、容易且つ柔軟に管理システムを構築することができる。例えば、メイン管理装置１００Ａは、メイン管理装置１００Ａに制御線３００を介して設備機器１０を接続することができるときに選択され、メイン管理装置１００Ａ１は、メイン管理装置１００Ａ１に制御線３００を介して設備機器１０を接続することができないときに選択される。
【００３９】
第１モードのメイン管理装置１００Ａを選択した場合には、管理装置１００の台数を減らして、管理システム１のコストを低減することができる。また、第２モードのメイン管理装置１００Ａ１を選択した場合には、管理装置１００の台数を増やすのみで、メイン管理装置１００Ａである場合には制御線３００の長さの制限によって設備機器１０を接続できないという状況を解決しつつ、管理システム１Ａを構築することができる。さらに、第１モードのメイン管理装置１００Ａ１と第２モードのメイン管理装置１００Ａ１とは、図５と図１５を比較し、図６と図１６を比較すると明らかなように、管理装置構成データおよび集中管理データの構成が同じであるため、第１モードと第２モードとの切り替えが容易である。
【符号の説明】
【００４０】
１  管理システム、１Ａ  管理システム、１０  設備機器、１００  管理装置、１００Ａ  メイン管理装置、１００Ａ１  メイン管理装置、１００Ｂ  サブ管理装置、１０２Ａ  機器通信部、１０２Ｂ  機器通信部、１０３Ａ  通信部、１０３Ｂ  通信部、１０４Ａ  装置間通信部、１０４Ｂ  装置間通信部、１０６Ａ  データ同期部、１０６Ａ１  データ同期部、１０６Ｂ  データ同期部、１０６Ｂ１  データ同期部、１０８Ａ  制御部、１０８Ｂ  制御部、１０８Ｂ１  制御部、１０８Ｂ２  制御部、１１０Ａ  機器構成記憶部、１１０Ａ１  機器構成データ、１１０Ａ１１  機器構成記憶部、１１０Ａ２  管理装置構成データ、１１０Ａ２１  管理装置構成データ、１１０Ａ３  集中管理データ、１１０Ａ３１  集中管理データ、１１０Ｂ  機器構成記憶部、１１０Ｂ１  機器構成データ、１１０Ｂ２  メイン管理装置アドレスデータ、１１２Ａ  操作部、１１２Ｂ  操作部、１１４Ａ  表示部、１１４Ｂ  表示部、１１６  タッチパネル、１２１  メイン管理装置構成データ、１２２  サブ管理装置用構成データ、１５０  端末、２００  通信回線、３００  制御線、Ｓ０１  信号、Ｓ０２  信号、Ｓ０３  同期信号、Ｓ１０６Ｂ  データ同期部、Ｓ１２  合わせ信号、Ｓ１３  同期信号、Ｓ１４  信号、Ｓ２１  動作変更信号、Ｓ２２  信号、Ｓ３１  信号、Ｓ４１  信号。
【図１】
2016051452.tif 000003
【図２】
2016051452.tif 000004
【図３】
2016051452.tif 000005
【図４】
2016051452.tif 000006
【図５】
2016051452.tif 000007
【図６】
2016051452.tif 000008
【図７】
2016051452.tif 000009
【図８】
2016051452.tif 000010
【図９】
2016051452.tif 000011
【図１０】
2016051452.tif 000012
【図１１】
2016051452.tif 000013
【図１２】
2016051452.tif 000014
【図１３】
2016051452.tif 000015
【図１４】
2016051452.tif 000016
【図１５】
2016051452.tif 000017
【図１６】
2016051452.tif 000018
【図１７】
2016051452.tif 000019
【図１８】
2016051452.tif 000020
【手続補正書】
【提出日】平成28年10月17日(2016.10.17)
【手続補正１】
【補正対象書類名】明細書
【補正対象項目名】０００６
【補正方法】変更
【補正の内容】
【０００６】
この発明に係るメイン管理装置は、少なくとも１台の設備機器が接続されたサブ管理装置に接続されるメイン管理装置であって、サブ管理装置と通信する装置間通信部を有する通信部と、少なくとも１台の設備機器のそれぞれの機器アドレスと、サブ管理装置の装置アドレスと、を対応付けたサブ管理装置用構成データを用いて、少なくとも１台の設備機器の動作を制御する制御部と、を備え、通信部は、サブ管理装置に接続されない少なくとも１台の設備機器と通信する機器通信部を有し、制御部は、サブ管理装置に接続されない少なくとも１台の設備機器が接続された状態において、サブ管理装置に接続された少なくとも１台の設備機器をサブ管理装置を介して制御し、サブ管理装置に接続されない少なくとも１台の設備機器を制御する第１モードと、サブ管理装置に接続されない少なくとも１台の設備機器が接続されない状態において、サブ管理装置に接続された少なくとも１台の設備機器をサブ管理装置を介して制御する第２モードとの間で切り替わるものである。
【手続補正２】
【補正対象書類名】特許請求の範囲
【補正対象項目名】全文
【補正方法】変更
【補正の内容】
【特許請求の範囲】
【請求項１】
少なくとも１台の設備機器が接続されたサブ管理装置に接続されるメイン管理装置であって、
前記サブ管理装置と通信する装置間通信部を有する通信部と、
前記少なくとも１台の設備機器のそれぞれの機器アドレスと、前記サブ管理装置の装置アドレスと、を対応付けたサブ管理装置用構成データを用いて、前記少なくとも１台の設備機器の動作を制御する制御部と、を備え、
前記通信部は、前記サブ管理装置に接続されない少なくとも１台の設備機器と通信する機器通信部を有し、
前記制御部は、
前記サブ管理装置に接続されない少なくとも１台の設備機器が接続された状態において、前記サブ管理装置に接続された少なくとも１台の設備機器を前記サブ管理装置を介して制御し、前記サブ管理装置に接続されない少なくとも１台の設備機器を制御する第１モードと、前記サブ管理装置に接続されない少なくとも１台の設備機器が接続されない状態において、前記サブ管理装置に接続された少なくとも１台の設備機器を前記サブ管理装置を介して制御する第２モードとの間で切り替わる、
メイン管理装置。
【請求項２】
機器構成記憶部をさらに備え、
前記機器構成記憶部は、前記第１モードおいて、前記サブ管理装置に接続されない少なくとも１台の設備機器のそれぞれの機器アドレスと、当該メイン管理装置の装置アドレスと、を対応付けたメイン管理装置構成データと、前記サブ管理装置用構成データと、が合成されたデータを集中管理データとして記憶しており、前記第２モードにおいて、前記サブ管理装置用構成データを集中管理データとして記憶しており、
前記制御部は、前記第１モードにおいて、前記集中管理データに基づいて、前記少なくとも１台の設備機器と前記サブ管理装置に接続されない少なくとも１台の設備機器との制御を行い、前記第２モードにおいて、前記集中管理データに基づいて、前記少なくとも１台の設備機器の制御を行う、
請求項１記載のメイン管理装置。
【請求項３】
請求項１または請求項２に記載のメイン管理装置と前記メイン管理装置に接続された少なくとも１台の前記サブ管理装置とを備えた管理システム。
【請求項４】
前記サブ管理装置は、前記少なくとも１台の設備機器の機器アドレスを機器構成データとして記憶した機器構成記憶部と制御部とを有し、
前記サブ管理装置の制御部は、当該サブ管理装置の機器構成記憶部に記憶された機器構成データに基づいて、前記少なくとも１台の設備機器の制御を行う、
請求項３記載の管理システム。
【請求項５】
前記設備機器は、空気調和機である、
請求項３または請求項４に記載の管理システム。
【国際調査報告】
2016051452.tif 000021
2016051452.tif 000022
2016051452.tif 000023